(57)【要約】      （修正有）【課題】押圧部材を利用してマイクロスイッチを押圧したりまたはマイクロスイッチから離脱したりすることにより、マイクロスイッチと電源との間に開回路または閉回路を形成することができるため、材料のコストを低減することができる。【解決手段】殻体１、マイクロスイッチ２および押圧部材３が含まれる。殻体の内周壁面には第一収容部材と第二収容部材を仕切るための掛止部材１１１が形成され、掛止部材には第一収容空間１１３と第二収容部材を連通するための貫通孔１１１１が形成され、掛止部材には殻体の内周壁面から貫通孔の中心に向かって下へ第一収容空間に近寄るように傾斜面１１１２が形成される。押圧部材は殻体の第一収容空間の中に収容されると共に、掛止部材の傾斜面に位置するように形成され、押圧部材の外側周面は貫通孔を経由してマイクロスイッチの触動部材２１に当接するように構成されている。【選択図】図１
0003139946.tif 000002
【実用新案登録請求の範囲】
【請求項１】
殻体（１）、マイクロスイッチ（２）および押圧部材（３）を含む転倒検知スイッチであって、殻体（１）の内周壁面には掛止部材（１１１）が形成され、掛止部材（１１１）により殻体（１）の内部には第一収容部材（１１３）と第二収容部材（１１４）が仕切られ、掛止部材（１１１）には第一収容空間（１１３）と第二収容部材（１１４）を連通するための貫通孔（１１１１）が形成され、掛止部材（１１１）には殻体（１）の内周壁面から貫通孔（１１１１）の中心に向かって下方へ第一収容空間（１１３）に近寄るように傾斜面（１１１２）が形成され、マイクロスイッチ（２）は殻体（１）の第二収容空間（１１４）に設けられ、マイクロスイッチ（２）は触動部（２１）を備え、押圧部材（３）は殻体（１）の第一収容空間（１１３）の中に収容されると共に、掛止部材（１１１）の傾斜面（１１１２）に位置するように形成され、押圧部材（３）の外側周面は貫通孔（１１１１）を経由してマイクロスイッチ（２）の触動部材（２１）に当接するように構成されることを特徴とする転倒検知スイッチ。
【請求項２】
殻体（１）には結合部材（１１２）が設けられ、結合部材（１１２）は殻体（１）の外側周壁から伸出するように設けられることを特徴とする請求項１記載の転倒検知スイッチ。
【請求項３】
殻体（１）は本体部（１１）、底座（１２）と上蓋（１３）から構成され、底座（１２）と上蓋（１３）は相互に対応するように本体部（１１）の底端と上端に固設されることを特徴とする請求項１または２記載の転倒検知スイッチ。
【請求項４】
底座（１２）は二個の半体部材（１２１）を相互に対向させて組立てられたもので、二個の半体部材（１２１）はマイクロスイッチ（２）を挟持することにより、マイクロスイッチ（２）を底座（１２）に装着することを特徴とする請求項３記載の転倒検知スイッチ。
【考案の詳細な説明】
【技術分野】
【０００１】
本考案は、転倒検知スイッチに関するもので、特に押圧部材だけを利用してマイクロスイッチの導通または切断を制御することにより、材料のコストを低減することができる転倒検知スイッチに係わるものである。
【背景技術】
【０００２】
従来の転倒検知スイッチとしては、例えば中華民国新型番号第Ｍ２５６５７５号「転倒検知スイッチ構造」において、転倒検知スイッチには大球体、小球体、溝体とマイクロスイッチが含まれる。上記大球体と上記小球体は上記溝体の中に収容され、上記大球体は上記小球体の上側に積み重ねられる。上記溝体は上記マイクロスイッチの上方に位置され、上記小球体を上記溝体の開口を経由させて上記マイクロスイッチの切り換え板に押圧させる。上記従来の転倒検知スイッチは使用時においては電器装置（例えば電気ヒーター）の内部に装着され、上記マイクロスイッチは電源の回路と連接される。上記溝体の軸方向は水平な地面に対して垂直になる。上記小球体は上記大球体の重力を受けて下へ向かって上記切り換え板を押圧し、さらに上記切り換え板は下へ向かって上記マイクロスイッチの起動器を押圧することにより、上記マイクロスイッチと上記電源の回路との間に開回路が形成されるため、上記電器装置が運転するのを起動することができる。
【０００３】
電器装置を押し倒したり傾かせたりすると、上記溝体は上記水平の地面に対して傾斜角度が生じるため、上記大球体は一方に向かって滑動して上記小球体から離脱するようになる。上記小球体の重量では上記起動器を下へ押圧することができないため、上記マイクロスイッチと上記電源の回路との間には閉回路が形成され、上記電器装置は運転するのを停止することにより、自動的に短絡の状態になることができる（例えば、特許文献１を参照）。
【特許文献１】中華民国新型番号第Ｍ２５６５７５号
【考案の開示】
【考案が解決しようとする課題】
【０００４】
上記従来の転倒検知スイッチにおいては、下記の問題点を有している。例えば、上記小球体は上記大球体の下への重力を受けなければ、上記切り換え板により上記起動器を押圧することができない。このように、上記従来の転倒検知スイッチは二個の球体の作動を利用して上記電器装置の運転または停止を制御しなければならないため、材料費のコストが比較的に高くなるという問題点を有している。このように、上記のような従来の転倒検知スイッチをさらに改良しなければならない。
【０００５】
本考案はこのような問題点に鑑みて考案したものであって、その目的とするところは、押圧部材だけを利用してマイクロスイッチが導通または導通しないのを制御することにより、材料のコストを低減することができる転倒検知スイッチを提供しようとするものである。
【０００６】
本考案の第一の目的は、押圧部材を利用してマイクロスイッチを押圧したりまたはマイクロスイッチから離脱したりすることにより、上記マイクロスイッチと電源との間に開回路または閉回路を形成することができるため、材料のコストを低減することができる転倒検知スイッチを提供しようとするものである。
【課題を解決するための手段】
【０００７】
上記目的を達成するために、本考案による転倒検知スイッチは、下記のようになるものである。すなわち、
殻体、マイクロスイッチおよび押圧部材を含む。殻体の内周壁面には掛止部材が形成され、掛止部材により殻体の内部に第一収容部材と第二収容部材が仕切られる。掛止部材には第一収容空間と第二収容部材を連通するための貫通孔が形成され、掛止部材には殻体の内周壁面から貫通孔の中心に向かって下方へ第一収容空間に近寄るように傾斜面が形成される。マイクロスイッチは殻体の第二収容空間に設けられる。マイクロスイッチは触動部を備える。押圧部材は殻体の第一収容空間の中に収容されると共に、掛止部材の傾斜面に位置するように形成される。押圧部材の外側周面は貫通孔を経由してマイクロスイッチの触動部材に当接するように構成される。
【０００８】
本考案による転倒検知スイッチは、殻体に結合部材を設け、結合部材が殻体の外側周壁から伸出するように設けることもできる。また、殻体に本体部、底座と上蓋を設け、底座と上蓋は対応になるように本体部の底端と上端に固設することもできる。また、底座を二個の半体部材を対応になるように組立てたもので形成し、二個の半体部材が微動部材を挟持することにより、マイクロスイッチを底座に装着することもできる。
【考案を実施するための最良の形態】
【０００９】
本考案の実施の形態について、以下、図面を参照して説明する。
【００１０】
図１を参照すると、本考案の実施例の転倒検知スイッチを電器装置（例えば、電気ヒーター、飲水器、扇風機および照明器具など）に利用することにより、上記電器装置が傾倒して危險が生じるのを防止することができる。転倒検知スイッチには殻体１、マイクロスイッチ２および押圧部材３が含まれる。殻体１には本体部１１、底座１２と上蓋１３が設けられ、1底座１２と上蓋１３はそれぞれ本体部１１の形状に対応して本体部１１の底端と上端に固設される。
【００１１】
本体部１１は好ましくは円形のスリーブからなり、本体部１１には掛止部材１１１と結合部材１１２が形成され、掛止部材１１１は本体部１１の内周壁面に形成され、掛止部材１１１により本体部１１は上下に互いに隣接する第一収容空間１１３および第二収容空間１１４と仕切られ、さらに掛止部材１１１には貫通孔１１１１と傾斜面１１１２が設けられ、貫通孔１１１１は軸方向で掛止部材１１１を貫通し、傾斜面１１１２は掛止部材１１１において殻体１の内周壁面から貫通孔１１１１の中心かつ下へ向かうように形成され、さらに掛止部材１１１は第一収容空間１１３に近寄るように形成される。結合部材１１２は殻体１の外側周壁から伸出するように設けられ、結合部材１１２は選択的に複数個のねじ孔からなることにより、結合部材１１２により転倒検知スイッチ２を上記電器装置の内部に螺設することができる。
【００１２】
再び図１を参照すると、本考案の実施例の底座１２は好ましくは二個の半体部材１２１を対応になるように組立てなるもので、そして二個の半体部材１２１により微動部材２を挟持することにより、マイクロスイッチ２を底座１２に装着することができる。マイクロスイッチ２は底座１２により本体部１１の第二収容空間１１４の中に固設され、マイクロスイッチ２は電源の回路（図示せず）に連接されて上記電器装置の運転状態を制御する。マイクロスイッチ２が貫通孔１１１１に近寄る一方には触動部２１が設けられ、触動部２１には弾性部材２１１と起動部材２１２が形成され、弾性部材２１１の一端はマイクロスイッチ２に固定され、起動部材２１２は弾性部材２１１の下方に位置し、そして弾性部材に当接するように形成されることにより、マイクロスイッチ２の起動を制御することができる。
【００１３】
再び図１を参照すると、本考案の実施例の押圧部材３は第一収容空間１１３の中に収容され、そして掛止部材１１１に当接するように形成され、押圧部材３は選択的に球形に近い多辺形の固体からなることができ、本考案の実施例においては金属の球体からなる。押圧部材３の一部分を貫通孔１１１１を通過し第二収容空間１１４に進入させ、弾性部材２１１に当接させ、押圧部材３の重力により下へ向かって触動部２１を押圧する。また、押圧部材３の外径は第一収容空間１１３の内径より小さく、さらに押圧部材３の外周壁面と本体部１１の内周壁面に間隔の距離を形成させることにより、殻体１に微小な傾斜が生じる時、押圧部材３は直ちに傾斜の方向に向かって傾斜面１１１２に沿って転がし、触動部２１から離脱することができる。
【００１４】
図１を参照すると、本考案の実施例の転倒検知スイッチを使用する時，先ずマイクロスイッチ２を底座１２に固設した後、底座１２を本体部１１の底端に対応するように組み立てて固設することにより、マイクロスイッチ２を第二収容空間１１４の中に位置させる。それから、押圧部材３を第一収容空間１１３の中に設置し、そして上蓋１３を本体部１１の上端に対応するように組立て固設することにより、押圧部材３が本体部１１から離脱するのを避けることができる。組立を完成した後、結合部材１１２により転倒検知スイッチ２を上記電器装置の内部に固設する。
【００１５】
図２を参照すると、本考案の実施例においては、転倒検知スイッチ２を扇風機Ａの内部に装着し、扇風機Ａが水平の地面に立設される時、扇風機Ａの内部の転倒検知スイッチ２の軸方向は水平の地面とは垂直になるため、押圧部材３の重力は下へ向かって触動部２１の弾性部材２１１を押圧するように形成され、さらに弾性部材２１１を下へ向かって起動部材２１２を押圧させることにより（図３に示す如く）、扇風機Ａと上記電源の回路との間は導通するように形成されるため、この時に扇風機Ａは運転の状態に形成される。
【００１６】
図４を参照すると、扇風機Ａが押し倒されたりまたは斜めに傾かれたりすると、押圧部材３は直ちに扇風機Ａが傾斜したりまたは傾倒したりする方向に向かって触動部２１から離脱し、弾性部材２１１は上記押圧の重力が消えることによって弾性的に復位すると同時に、起動部材２１２は上へ変位して弾性部材２１１を押し上げるように形成されることにより（図５に示す如く）、扇風機Ａと上記電源の回路との間は短絡に形成されるため、この時に扇風機Ａは停止の状態に形成される。このように、上記電器装置は傾倒時において自動的に短絡して運転を停止することができるため、危險が生じるのを避けることができる。
【産業上の利用可能性】
【００１７】
上述の如く、従来の転倒検知スイッチによれば、二個の大きさの異なる球体の作動を同時に利用してマイクロスイッチと電源の回路との間の導通を制御しなければならないため、材料費のコストが比較的に高くなるという問題点があったが、図１に示す本考案の実施例の転倒検知スイッチによれば、押圧部材３だけの重力により下へ向かって触動部２１を押圧したり、または触動部２１から離脱したりすることにより、電器装置が運転の状態または停止の状態を維持するのを制御することができるため、確実に材料のコストを大幅に低減することができる。
【００１８】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００１９】
【図１】本考案の実施例の転倒検知スイッチによる分解斜視図である。
【図２】本考案の実施例の転倒検知スイッチによる使用時における説明図である。
【図３】本考案の実施例の転倒検知スイッチによる組み立てられた状態の斜視図である。
【図４】本考案の実施例の転倒検知スイッチによるもう一つの使用時における説明図である。
【図５】本考案の実施例の転倒検知スイッチによるもう一つの組み立てられた状態の斜視図である。
【符号の説明】
【００２０】
１    殻体                            １１    本体部
１１１    掛止部材                    １１１１    貫通孔
１１１２    傾斜面                        １１２    結合孔
１１３    第一収容空間                  １１４    第二収容空間
１２    底座                          １２１    半体部材
１３    上蓋                              ２    マイクロスイッチ
２１    触動部                        ２１１    弾性部材
２１２    起動部材                          ３    押圧部材
Ａ    扇風機
【図１】
0003139946.tif 000003
【図２】
0003139946.tif 000004
【図３】
0003139946.tif 000005
【図４】
0003139946.tif 000006
【図５】
0003139946.tif 000007
【手続補正書】
【提出日】平成19年12月26日(2007.12.26)
【手続補正１】
【補正対象書類名】明細書
【補正対象項目名】全文
【補正方法】変更
【補正の内容】
【考案の詳細な説明】
【技術分野】
【０００１】
本考案は、転倒検知スイッチに関するもので、特に押圧部材だけを利用してマイクロスイッチの導通または切断を制御することにより、材料のコストを低減することができる転倒検知スイッチに係わるものである。
【背景技術】
【０００２】
従来の転倒検知スイッチとしては、例えば中華民国新型番号第Ｍ２５６５７５号「転倒検知スイッチ構造」において、転倒検知スイッチには大球体、小球体、溝体とマイクロスイッチが含まれる。上記大球体と上記小球体は上記溝体の中に収容され、上記大球体は上記小球体の上側に積み重ねられる。上記溝体は上記マイクロスイッチの上方に位置され、上記小球体を上記溝体の開口を経由させて上記マイクロスイッチの切り換え板に押圧させる。上記従来の転倒検知スイッチは使用時においては電器装置（例えば電気ヒーター）の内部に装着され、上記マイクロスイッチは電源の回路と連接される。上記溝体の軸方向は水平な地面に対して垂直になる。上記小球体は上記大球体の重力を受けて下へ向かって上記切り換え板を押圧し、さらに上記切り換え板は下へ向かって上記マイクロスイッチの起動器を押圧することにより、上記マイクロスイッチと上記電源の回路との間に開回路が形成されるため、上記電器装置が運転するのを起動することができる。
【０００３】
電器装置を押し倒したり傾かせたりすると、上記溝体は上記水平の地面に対して傾斜角度が生じるため、上記大球体は一方に向かって滑動して上記小球体から離脱するようになる。上記小球体の重量では上記起動器を下へ押圧することができないため、上記マイクロスイッチと上記電源の回路との間には閉回路が形成され、上記電器装置は運転するのを停止することにより、自動的に短絡の状態になることができる（例えば、特許文献１を参照）。
【特許文献１】中華民国新型番号第Ｍ２５６５７５号
【考案の開示】
【考案が解決しようとする課題】
【０００４】
上記従来の転倒検知スイッチにおいては、下記の問題点を有している。例えば、上記小球体は上記大球体の下への重力を受けなければ、上記切り換え板により上記起動器を押圧することができない。このように、上記従来の転倒検知スイッチは二個の球体の作動を利用して上記電器装置の運転または停止を制御しなければならないため、材料費のコストが比較的に高くなるという問題点を有している。このように、上記のような従来の転倒検知スイッチをさらに改良しなければならない。
【０００５】
本考案はこのような問題点に鑑みて考案したものであって、その目的とするところは、押圧部材だけを利用してマイクロスイッチが導通または導通しないのを制御することにより、材料のコストを低減することができる転倒検知スイッチを提供しようとするものである。
【０００６】
本考案の第一の目的は、押圧部材を利用してマイクロスイッチを押圧したりまたはマイクロスイッチから離脱したりすることにより、上記マイクロスイッチと電源との間に開回路または閉回路を形成することができるため、材料のコストを低減することができる転倒検知スイッチを提供しようとするものである。
【課題を解決するための手段】
【０００７】
上記目的を達成するために、本考案による転倒検知スイッチは、下記のようになるものである。すなわち、
殻体、マイクロスイッチおよび押圧部材を含む。殻体の内周壁面には掛止部材が形成され、掛止部材により殻体の内部に第一収容部材と第二収容部材が仕切られる。掛止部材には第一収容空間と第二収容部材を連通するための貫通孔が形成され、掛止部材には殻体の内周壁面から貫通孔の中心に向かって下方へ第一収容空間に近寄るように傾斜面が形成される。マイクロスイッチは殻体の第二収容空間に設けられる。マイクロスイッチは触動部を備える。押圧部材は殻体の第一収容空間の中に収容されると共に、掛止部材の傾斜面に位置するように形成される。押圧部材の外側周面は貫通孔を経由してマイクロスイッチの触動部材に当接するように構成される。
【０００８】
本考案による転倒検知スイッチは、殻体に結合部材を設け、結合部材が殻体の外側周壁から伸出するように設けることもできる。また、殻体に本体部、底座と上蓋を設け、底座と上蓋は対応になるように本体部の底端と上端に固設することもできる。また、底座を二個の半体部材を対応になるように組立てたもので形成し、二個の半体部材が微動部材を挟持することにより、マイクロスイッチを底座に装着することもできる。
【考案の効果】
【０００９】
本考案の転倒検知スイッチによれば、押圧部材を利用してマイクロスイッチを押圧したりまたはマイクロスイッチから離脱したりすることにより、上記マイクロスイッチと電源との間に開回路または閉回路を形成することができるため、材料のコストを低減することができるという利点がある。
【考案を実施するための最良の形態】
【００１０】
本考案の実施の形態について、以下、図面を参照して説明する。
【００１１】
図１を参照すると、本考案の実施例の転倒検知スイッチを電器装置（例えば、電気ヒーター、飲水器、扇風機および照明器具など）に利用することにより、上記電器装置が傾倒して危險が生じるのを防止することができる。転倒検知スイッチには殻体１、マイクロスイッチ２および押圧部材３が含まれる。殻体１には本体部１１、底座１２と上蓋１３が設けられ、1底座１２と上蓋１３はそれぞれ本体部１１の形状に対応して本体部１１の底端と上端に固設される。
【００１２】
本体部１１は好ましくは円形のスリーブからなり、本体部１１には掛止部材１１１と結合部材１１２が形成され、掛止部材１１１は本体部１１の内周壁面に形成され、掛止部材１１１により本体部１１は上下に互いに隣接する第一収容空間１１３および第二収容空間１１４と仕切られ、さらに掛止部材１１１には貫通孔１１１１と傾斜面１１１２が設けられ、貫通孔１１１１は軸方向で掛止部材１１１を貫通し、傾斜面１１１２は掛止部材１１１において殻体１の内周壁面から貫通孔１１１１の中心かつ下へ向かうように形成され、さらに掛止部材１１１は第一収容空間１１３に近寄るように形成される。結合部材１１２は殻体１の外側周壁から伸出するように設けられ、結合部材１１２は選択的に複数個のねじ孔からなることにより、結合部材１１２により転倒検知スイッチ２を上記電器装置の内部に螺設することができる。
【００１３】
再び図１を参照すると、本考案の実施例の底座１２は好ましくは二個の半体部材１２１を対応になるように組立てなるもので、そして二個の半体部材１２１により微動部材２を挟持することにより、マイクロスイッチ２を底座１２に装着することができる。マイクロスイッチ２は底座１２により本体部１１の第二収容空間１１４の中に固設され、マイクロスイッチ２は電源の回路（図示せず）に連接されて上記電器装置の運転状態を制御する。マイクロスイッチ２が貫通孔１１１１に近寄る一方には触動部２１が設けられ、触動部２１には弾性部材２１１と起動部材２１２が形成され、弾性部材２１１の一端はマイクロスイッチ２に固定され、起動部材２１２は弾性部材２１１の下方に位置し、そして弾性部材に当接するように形成されることにより、マイクロスイッチ２の起動を制御することができる。
【００１４】
再び図１を参照すると、本考案の実施例の押圧部材３は第一収容空間１１３の中に収容され、そして掛止部材１１１に当接するように形成され、押圧部材３は選択的に球形に近い多辺形の固体からなることができ、本考案の実施例においては金属の球体からなる。押圧部材３の一部分を貫通孔１１１１を通過し第二収容空間１１４に進入させ、弾性部材２１１に当接させ、押圧部材３の重力により下へ向かって触動部２１を押圧する。また、押圧部材３の外径は第一収容空間１１３の内径より小さく、さらに押圧部材３の外周壁面と本体部１１の内周壁面に間隔の距離を形成させることにより、殻体１に微小な傾斜が生じる時、押圧部材３は直ちに傾斜の方向に向かって傾斜面１１１２に沿って転がし、触動部２１から離脱することができる。
【００１５】
図１を参照すると、本考案の実施例の転倒検知スイッチを使用する時，先ずマイクロスイッチ２を底座１２に固設した後、底座１２を本体部１１の底端に対応するように組み立てて固設することにより、マイクロスイッチ２を第二収容空間１１４の中に位置させる。それから、押圧部材３を第一収容空間１１３の中に設置し、そして上蓋１３を本体部１１の上端に対応するように組立て固設することにより、押圧部材３が本体部１１から離脱するのを避けることができる。組立を完成した後、結合部材１１２により転倒検知スイッチ２を上記電器装置の内部に固設する。
【００１６】
図２を参照すると、本考案の実施例においては、転倒検知スイッチ２を扇風機Ａの内部に装着し、扇風機Ａが水平の地面に立設される時、扇風機Ａの内部の転倒検知スイッチ２の軸方向は水平の地面とは垂直になるため、押圧部材３の重力は下へ向かって触動部２１の弾性部材２１１を押圧するように形成され、さらに弾性部材２１１を下へ向かって起動部材２１２を押圧させることにより（図３に示す如く）、扇風機Ａと上記電源の回路との間は導通するように形成されるため、この時に扇風機Ａは運転の状態に形成される。
【００１７】
図４を参照すると、扇風機Ａが押し倒されたりまたは斜めに傾かれたりすると、押圧部材３は直ちに扇風機Ａが傾斜したりまたは傾倒したりする方向に向かって触動部２１から離脱し、弾性部材２１１は上記押圧の重力が消えることによって弾性的に復位すると同時に、起動部材２１２は上へ変位して弾性部材２１１を押し上げるように形成されることにより（図５に示す如く）、扇風機Ａと上記電源の回路との間は短絡に形成されるため、この時に扇風機Ａは停止の状態に形成される。このように、上記電器装置は傾倒時において自動的に短絡して運転を停止することができるため、危險が生じるのを避けることができる。
【産業上の利用可能性】
【００１８】
上述の如く、従来の転倒検知スイッチによれば、二個の大きさの異なる球体の作動を同時に利用してマイクロスイッチと電源の回路との間の導通を制御しなければならないため、材料費のコストが比較的に高くなるという問題点があったが、図１に示す本考案の実施例の転倒検知スイッチによれば、押圧部材３だけの重力により下へ向かって触動部２１を押圧したり、または触動部２１から離脱したりすることにより、電器装置が運転の状態または停止の状態を維持するのを制御することができるため、確実に材料のコストを大幅に低減することができる。
【００１９】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２０】
【図１】本考案の実施例の転倒検知スイッチによる分解斜視図である。
【図２】本考案の実施例の転倒検知スイッチによる使用時における説明図である。
【図３】本考案の実施例の転倒検知スイッチによる組み立てられた状態の斜視図である。
【図４】本考案の実施例の転倒検知スイッチによるもう一つの使用時における説明図である。
【図５】本考案の実施例の転倒検知スイッチによるもう一つの組み立てられた状態の斜視図である。
【符号の説明】
【００２１】
１    殻体                            １１    本体部
１１１    掛止部材                    １１１１    貫通孔
１１１２    傾斜面                        １１２    結合孔
１１３    第一収容空間                  １１４    第二収容空間
１２    底座                          １２１    半体部材
１３    上蓋                              ２    マイクロスイッチ
２１    触動部                        ２１１    弾性部材
２１２    起動部材                          ３    押圧部材
Ａ    扇風機